(57)【要約】【課題】庇を展張又は収縮したとき、外観性良好な可動庇装置の提供が主な課題である。【解決手段】巻取り・繰り出しドラム１、庇シート２、固定部材３、伸縮アーム４、取付け部材５及び伸縮アーム４の前方に軸支された回転ローラー４ａを主な構成部材とし、巻取り・繰り出しドラム１の回動軸の一端部１ａは、桁梁６の直下に支持されたブラケット７に装着された、減速機付き電動モータ８の駆動軸８ａと一体的に連結されて正逆回転可能に軸支されている。また回動軸の他端部１ｂは、壁面９に支持されたブラケット１０に回動可能に軸支されている。【選択図】  図１
2007205137.tif 000002
【特許請求の範囲】
【請求項１】
電動モータ又は人力で回動される、巻取り・繰り出しドラムと、巻取り・繰り出しドラムの回動に伴って伸縮する、当該巻取り・繰り出しドラムの左右に配設されたヒンジ構造の伸縮アームと、当該伸縮アームの先端部とをヒンジ結合する庇先端部材と、当該巻取り・繰り出しドラムに懸回される日除けシートとから構成され、当該伸縮アームは、根本部、中間部、先端部に、左右の当該伸縮アームと庇先端部材で構成される平面と垂直方向に回転するヒンジから構成される、商店街等の建造物の入口部上方に配設される可動庇装置において、
当該庇シートが庇上部シートと庇下部シートからなり、当該庇先端部材が当該庇上部シートと当該庇下部シートを折り曲げて保持することを特徴とする、可動庇装置。
【請求項２】
前記庇先端部材が、前記庇シートと略同寸巾の回転ローラーから構成されることを特徴とする、請求項１に記載の可動庇装置。
【請求項３】
前記左右伸縮アームの根本部、中間部及び先端部には３つのヒンジが設けられ、前記左右伸縮アームを最大限に伸ばしたとき前記左右伸縮アームは真っ直ぐに伸び、前記左右伸縮アームを縮めた場合、右側伸縮アームはくの字に縮み、左側伸縮アームは逆くの字に縮むことを特徴とする、請求項１〜２に記載の可動庇装置。
【請求項４】
前記庇シートが、防炎性及び耐候性を有する素材からなり、該庇シートの下部に、店舗名、社名、ビル名、キャッチコピー、キャラクター又は絵画等の表示がなされていることを特徴とする請求項１〜３に記載の可動庇装置。
【請求項５】
前記庇シートの庇下部シート端部を固定する固定部材は、前記入口部の左右に立設された柱の頂部に水平に取り付けられていることを特徴とする請求項１〜４に記載の可動庇装置。
【請求項６】
前記庇シートの庇上部シート端部を固定する固定部材は、梁桁の直下に固着されていることを特徴とする請求項１〜４に記載の可動庇装置。
【請求項７】
前記伸縮アームは、前記巻取り・繰り出しドラムと前記固定部材の略中間に配設されると共に、建物外側に向けて下向き傾斜して取り付けられていることを特徴とする請求項１〜６に記載の可動庇装置。
【請求項８】
前記伸縮アームの傾斜角度が、水平から約１０°〜１５°であることを特徴とする請求項１〜７に記載の可動庇装置。
【請求項９】
前記固定部材の下面部は、化粧板が張着されると共に、照明器具が装着されていることを特徴とする、請求項１〜８に記載の可動庇装置。
【請求項１０】
前記桁梁の上面部及び正面部は、化粧張りすると共に、少なくとも正面部の化粧張りは桁梁の高さより長寸としていることを特徴とする請求項１〜９に記載の可動庇装置。
【発明の詳細な説明】
【技術分野】
【０００１】
本発明は、可動庇装置に係り、より詳しくは、商店街等の建造物の開口部上方に配設され、天候等に即応して随時電動モータ等を駆動し、巻取り・繰り出しドラムに懸回された庇シートを所望の長さに伸縮する可動庇装置に関する。
【背景技術】
【０００２】
従来、ビル、店舗店頭の軒先又は家屋の窓、ベランダ等に設置される、日除け、雨除け等を目的とした可動庇装置又はオーニング装置に関しては、多数の提案がなされている。例えば、図６に示すように、水平方向に屈伸可能なくの字形のアーム１０３を左右に配置し、それら一対からなるアーム１０３の先端の間に掛け渡された前枠１０６に巻取りドラム１０４から引き出された日除けシート１０２の前端縁を取り付けることによって、アーム１０３の伸展により日除けシート１０２を張り出し、折り畳むことにより外壁側に引き込むようにしているものが、現在多用されている（特開平７−３０５４６７）。また特開２００３−７４１５９の日除け装置、特開２０００−４５４７７の日除け装置及び登録実用新案３０５６９３１の建築物用オーニング等も開示されている。  
【０００３】
特開２００３−７４１５９は、日除けシートを、回動アームを介して屋外側に展張し、該日除けシートの前方端部は、回動アーム先端部に固定されると共に、下方に向けて垂設される構成となっている。また特開２０００−４５４７７は、左右一対の折曲可能なアームに連結された前枠に固定されたテントを、モータにより張り出し、収納する構成となっている。また登録実用新案３０５６９３１は、テント部を形成するシート体を、左右の支柱に支持されたアーム部でベランダ外側に伸展する構成となっている。
【特許文献１】特開平７−３０５４６７号公報
【特許文献２】特開２００３−７４１５９号公報
【特許文献３】特開２０００−４５４７７号公報
【特許文献４】実用新案登録第３０５６９３１号公報
【発明の開示】
【発明が解決しようとする課題】
【０００４】
上記特許文献１〜４は、いずれも機械的な操作又は手動により、日除けシート、テント又はシート体をそれぞれ回動アーム又はアーム等で屋外側ないし通路側に展張又は収縮することを特徴としている。しかしながら、これらの特許文献に開示された構造等については、以下の問題点を有している。その１は、日除けシート等を展張したとき、回動アームや支柱等が露出され、来客又は通行人の視野に入るために不体裁であり、特にファッション、宝飾店又は飲食店等の庇としては不適である。その２は、特に夏季等、日差しが強いときは、展張された１枚の日除けシート（庇シート）のみでは太陽光線の照射熱を遮断することができず、日除けシート（庇シート）の下にいる来客又は通行人等に不快感を与えるのみならず、店頭に並置した各種商品、特に生鮮食料品等の品質には多大な影響を与える。その３は、庇シート等は回動アームの上部と前枠等に固定されているために強風、特に日除けシート、テント等の下から吹き上げる風に簡単に吹き上げられるという弱点があり、日除けシート（庇シート）、テント等が吹き飛ばされることもある。
【０００５】
本発明は、上記従来技術が有する各種の問題点に鑑み、鋭意検討を重ねて完成したものであり、本発明が解決しようとする第１の課題は、庇を展張又は収縮したときに、良好な外観性を保持することであり、第２の課題は、特に夏季等における強い日差しからの照射熱を遮断し、来客又は通行人に不快感を与えない可動庇装置の提供で、第３の課題は、日除けシート等の下から吹き上げる強風に耐える可動庇装置を提供することである。
【課題を解決するための手段】
【０００６】
上記の課題を解決するための第１の発明は、電動モータ又は人力で回動される、巻取り・繰り出しドラムと、巻取り・繰り出しドラムの回動に伴って伸縮する、当該巻取り・繰り出しドラムの左右に配設されたヒンジ構造の伸縮アームと、当該伸縮アームの先端部とをヒンジ結合する庇先端部材と、当該巻取り・繰り出しドラムに懸回される日除けシートとから構成され、当該伸縮アームは、根本部、中間部、先端部に、左右の当該伸縮アームと庇先端部材で構成される平面と垂直方向に回転するヒンジから構成される、商店街等の建造物の入口部上方に配設される可動庇装置において、当該庇シートが庇上部シートと庇下部シートからなり、当該庇先端部材が当該庇上部シートと当該庇下部シートを折り曲げて保持することを特徴としている。
【０００７】
上記の課題を解決するための第２の発明は、請求項１における発明にあって、前記庇先端部材が、前記庇シートと略同寸巾の回転ローラーから構成されることを特徴としている。
【０００８】
上記の課題を解決するための第３の発明は、請求項１〜請求項２の発明にあって、前記左右伸縮アームの根本部、中間部及び先端部には３つのヒンジが設けられ、前記左右伸縮アームを最大限に伸ばしたとき前記左右伸縮アームは真っ直ぐに伸び、前記左右伸縮アームを縮めた場合、右側伸縮アームはくの字に縮み、左側伸縮アームは逆くの字に縮むことを特徴としている。
【０００９】
上記の課題を解決するための第４の発明は、請求項１〜請求項３の発明にあって、前記庇シートが、防炎性及び耐候性を有する素材からなり、該庇シートの下部に、店舗名、社名、ビル名、キャッチコピー、キャラクター又は絵画等の表示がなされていることを特徴としている。
【００１０】
上記の課題を解決するための第５の発明は、請求項１〜請求項４の発明にあって、前記庇シートの庇下部シート端部を固定する固定部材は、前記入口部の左右に立設された柱の頂部に水平に取り付けられていることを特徴としている。
【００１１】
上記の課題を解決するための第６の発明は、請求項１〜請求項4の発明にあって、前記庇シートの庇上部シート端部を固定する固定部材は、梁桁の直下に固着されていることを特徴としている。
【００１２】
上記の課題を解決するための第７の発明は、請求項１〜請求項６の発明にあって、前記伸縮アームは、前記巻取り・繰り出しドラムと前記固定部材の略中間に配設されると共に、建物外側に向けて下向き傾斜して取り付けられていることを特徴としている。
【００１３】
上記の課題を解決するための第８の発明は、請求項１〜請求項７の発明にあって、前記伸縮アームの傾斜角度が、水平から約１０°〜１５°であることを特徴としている。
【００１４】
上記の課題を解決するための第９の発明は、請求項１〜請求項８の発明にあって、前記固定部材の下面部は、化粧板が張着されると共に、照明器具が装着されていることを特徴としている。
【００１５】
上記の課題を解決するための第１０の発明は、請求項１項１〜請求項９の発明にあって、
前記桁梁の上面部及び正面部は、化粧張りすると共に、少なくとも正面部の化粧張りは桁梁の高さより長寸としていることを特徴としている。
【発明の効果】
【００１６】
本発明に係る、可動庇装置は、上記の特徴的構成により、以下の効果を奏する。第１ないし第３及び第８の発明によれば、第１の課題である、庇を展張又は収縮したとき、良好な外観性を保持することができる。即ち、本発明の可動庇装置は、桁梁の直下に支持され、電動モータで回動される、巻取り・繰り出しドラムを装置の上段に、下段には固定部材を配設し、その中間部位に伸縮アームと、該伸縮アームの根本部を固着する取り付け部材を、建造物等の外壁に固定してなり、展張・収縮される庇シートで各部材は被覆され、庇シート下の来客及び通行人等の視界から完全に遮蔽される。また、庇シートを収縮したとき、来客及び通行人等には、化粧張りした一連的な桁梁を見ることができ、統一感ある商店街として好適な印象を与えることができる。
【００１７】
また、展張された庇シートは、直射日光を受ける、巻取り・繰り出しドラムから回転ローラーまでの上面部と、回転ローラーで下方に向けて展張される、固定部材の下端部に固着される下面部からなるので、照射熱は、中間の空気層で滞留するか、又は該中間空気層の通気によって、その熱は庇シートの下面部まで直接には達しないので、夏季等における強い日差しからの照射熱を遮断し、来客又は通行人に不快感を与えない庇装置の提供という、第２の課題を解決することができる。
【００１８】
さらに第１ないし第５及び第８の発明によれば、上段部に巻取り・繰り出しドラムが配設され、中段部には左右一対からなる伸縮アームの先端部には回転ローラーが取り付けられ、下段部には庇シートの下端部を固定する固定部材が配設され、側面視略三角形状を形成すると共に、庇シートは通路側に下向きに傾斜して展張され、強風や突風が吹いても、その風は固定部材から回転ローラー方向に吹き抜けるので、庇装置はほとんど影響を受けることがなく、第３の課題である、庇シート等の下から吹き上げる強風に耐える庇装置を提供することができる。また、第６の発明によれば、固定部材を桁梁の直下に配設し、巻取り・繰り出しドラムを梁の上部に配設したときには、庇上部シート上に飛来した枯葉、小枝、紙片又は積雪等は、庇シートを収縮するために巻取り・繰り出しドラムを回動すれば、庇上部シートは下方に巻き取られ、それに伴い当該シート上の飛来物は通路上に落下し、桁梁の内方に巻き込まれることがない。
【００１９】
第４の発明によれば、庇シートが、防炎性及び耐候性を有する素材からなっているので、商店街等の防火対策として有効であり、また撥水性ある素材とすれば、庇シートの長期使用に耐えることができる。さらに庇シートの下部に、店舗名、社名、ビル名、キャッチコピー、キャラクター又は絵画等の表示がなされているので、個々の店舗はもちろん、商店街等の広告・宣伝効果を高めると共に、周辺地域の活性化につながる。
【００２０】
第９ないし第１０の発明によれば、固定部材の下面部は、化粧板が張着されると共に、照明器具が装着され、また桁梁の上面部及び正面部は、化粧張りすると共に、少なくとも正面部の化粧張りは桁梁の高さより長寸としているので、個々の店舗はもちろん、商店街等のイメージアップとなり、第４の発明と同様に来客及び通行人の増加を呼ぶことにより、周辺地域の活性化につながる。
【発明を実施するための最良の形態】
【００２１】
以下、本発明に係る、可動庇装置に関する最良の実施形態について、図面を参照しながら説明する。図１は、庇シートを、最大に展張した状態と最小に収縮した状態の一部を切欠、省略した可動庇装置の側面図、図２は、図１における２−２線矢視図、図３は、庇シートを巻取る途中における可動庇装置の平面図、図４は、可動庇装置を商店街等の建造物に装着し、庇シートを最小に収縮した状態の全体を示す斜視図、図５は他の実施態様を示す側面図、図６は、従来例を示す斜視図である。
【００２２】
可動庇装置Ｒは、図１〜図３に示すように、巻取り・繰り出しドラム１、庇シート２、固定部材３、伸縮アーム４、取付け部材５及び伸縮アーム４の前方に軸支された回転ローラー４ａを主な構成部材としている。巻取り・繰り出しドラム１の回動軸の一端部１ａは、桁梁６の直下に支持されたブラケット７に装着された、減速機付き電動モータ８の駆動軸８ａと一体的に連結されて正逆回転可能に軸支されている。また回動軸の他端部１ｂは、図２に示すように壁面９に支持されたブラケット１０に回動可能に軸支されている。
【００２３】
庇シート２は、防炎性及び耐候性を有する素材例えば、ポリエステル繊維からなる不織布に、防炎性、撥水性、遮熱性等を付与するための有機フッ素化ポリマーで撥水加工した後、アクリル酸エステル樹脂とアルミニウム又は顔料との混合樹脂をコーティングしてなるシート等が好適に使用される。該庇シート２の根本部２ａは、巻取り・繰り出しドラム１に固着され、庇シート２が使用されないとき（収縮時）は、図１における二点鎖線で示すようにその約９０％が、巻取り・繰り出しドラム１に懸回されている。また庇シート２の下端部２ｂは、商店街等の建造物Ｂ入口部の左右に立設する柱１１の頂部１１ａに水平に取り付けられた固定部材３に固着されている。  
【００２４】
伸縮アーム４及び取付け部材５は、巻取り・繰り出しドラム１と固定部材３の略中間に配設、固定され、通路Ａ側に向けて下向き傾斜して取り付けられている。その下向き傾斜角度θは、約１０°〜１５°とするのが好ましい。伸縮アーム４は、取付け部材５の左右に配設され、それぞれの根本部、中間部及び先端部にヒンジ４ｂ、４ｃ、４ｄが軸支され、先端部ヒンジ４ｄの前方には、庇シー２と略同寸巾の回転ローラー４ａが水平に軸支されている。なお１２は、建造物Ｂ又は桁梁６の揺れを吸収、減殺する伸縮水切りである。
【００２５】
可動庇装置Ｒは、例えば図４に示すように、複数の店舗Ｓ１、Ｓ２、Ｓ３、…が並設して形成される商店街等の建造物Ｂに装着して好適に使用される。桁梁６の上面部６ａ及び正面部６ｂは、例えば、御影石、モルタル、レンガタイル等の化粧張りが施工され、特に正面部６ｂは桁梁６の高さより長寸とされ、通路Ａ側から電動モータ８、巻取り・繰り出しドラム１側への風雨、枯葉、塵埃等の侵入を防ぐためのものである。該桁梁６は、複数の店舗 Ｓ１、Ｓ２、Ｓ３、…の軒先に一連的に装着される。また庇シート２の下面部２ｃには、各店舗Ｓ１、Ｓ２、Ｓ３、…それぞれの店舗名Ｓ１ａ、Ｓ２ａ、Ｓ３ａ、…等が表示される。さらに入口部の左右に立設する柱１１の頂部１１ａに水平に取り付けられた固定部材３の下面部には化粧板３ａが張着されると共に、照明器具３ｂが装着されている。
【００２６】
可動庇装置Ｒにおける庇シート２の展張及び収縮の作動状態について説明する。先ず庇シート２は、不使用時においては、図１、図２に示すように、二点鎖線の状態に、また図４の状態で収縮、保持されており、庇シート２を展張するときは、電動モータ８を駆動し、その時計回りの回転力（正転）は、巻取り・繰り出しドラム１の回動軸１ａ、１ｂに伝動され、庇シート２は、図１の矢印Ｐ１方向に繰り出されると共に、回転ローラー４ａの回転を伴いながら左右の伸縮アーム４も同期的に伸展し、伸縮アーム４が一直線状となる図１状態まで庇シート２は展張され、リミットスイッチ（不図示）の作動によって電動モータ８の駆動は停止され、庇シート２は最大限まで展張される。  
【００２７】
つぎに庇シート２を収縮するときは、電動モータ８をスイッチオンすれば、その時計逆回りの回転力（逆転）は、巻取り・繰り出しドラム１の回動軸１ａ、１ｂに伝動され、庇シート２は、図１の矢印Ｐ２方向に巻き取られると共に、回転ローラー４ａの逆回転を伴いながら左右の伸縮アーム４も同期的に中間ヒンジ４ｃで屈曲し（図３、参照）、伸縮アーム４は、図１状態の二点鎖線まで屈曲され、リミットスイッチ（不図示）の作動によって電動モータ８の駆動は停止され、庇シート２は最小限まで収縮される。なお例えば、日照、時刻又は天候等の状態で、図３に示すように、庇シート２の展張又は収縮位置を、電動モータ８のオン、オフで調整することができるのはもちろんである。  
【００２８】
図５は、電動モータ８０及び固定部材３０の配設位置を上下逆にした状態を示し、桁梁６の正面部６ｂは、庇シート２の上端固定部２ｃを略被覆するように垂設されている。したがって、図示するように庇シート２上に突風等によって飛来した枯葉や小枝Ｌ等は、庇シート２を収縮するときに電動モータ８０を駆動すれば、庇シート２の移動（矢印Ｐ３）に伴い、枯葉や小枝Ｌ等の滞留物は、必然的に通路上に落下し、桁梁６や取付け部材内に侵入することが防止される。なお１３は梁である。
【図面の簡単な説明】
【００２９】
【図１】は、本発明に係る、可動庇装置における、庇シートを、最大に展張した状態と最小に収縮した状態の一部を切欠、省略した可動庇装置の側面図である。
【図２】は、図１における一部を省略した２−２線矢視図である。
【図３】は、庇シートを巻取る途中における可動庇装置の平面図である。
【図４】は、本発明に係る、可動庇装置を、商店街等の建造物に装着した状態の全体を示す斜視図である。
【図５】は、は他の実施態様を示す側面図である。
【図６】は、従来例を示す斜視図である。
【符号の説明】
【００３０】
Ｒ                        可動庇装置
Ｂ                        建造物
Ｓ１、Ｓ２、Ｓ３、…      店舗
Ｓ１ａ、Ｓ２ａ、Ｓ３ａ、…店舗名
１                        巻取り・繰り出しドラム
２                        庇シート
３、３０                  固定部材
４                        伸縮アーム
５                        取付け部材
４ａ                      回転ローラー          
６                        桁梁
６ａ                      化粧張り
１１                      柱
４ｂ、４ｃ、４ｄ          ヒンジ
θ                        傾斜角度
３ａ                      化粧板
３ｂ                      照明器具
【図１】
2007205137.tif 000003
【図２】
2007205137.tif 000004
【図３】
2007205137.tif 000005
【図４】
2007205137.tif 000006
【図５】
2007205137.tif 000007
【図６】
2007205137.tif 000008